(57)【要約】      （修正有）【課題】部品点数を抑え且つ簡素な構成としながらも脚羽根を所望の方向へ延出させ天板を安定して支持することができる天板付家具を提供する。【解決手段】天板付家具は、脚体２が、天板から下方へ延出する脚本体２２と、脚本体２２の下側に取り付けられ脚本体２２から平面視何れかの方向に延出する脚羽根２１と、脚本体２２に固定された状態で天板を支持する天板取付板５１及び天板取付板５１に連続して設けられフレーム３を側方から固定する互いに角度を異ならせて取り付け得る複数のフレーム取付面５７を有するフレーム取付板５２を具備するブラケット５とを有している。【選択図】図６
2014230718.tif 000002
【特許請求の範囲】
【請求項１】
天板と、この天板の下面に取りつけられてなるフレームと、これら天板及びフレームを支持する脚体とを有する天板付家具であって、
前記脚体が、天板から下方へ延出する脚本体と、
この脚本体の下側に取り付けられこの脚本体から平面視何れかの方向に延出する脚羽根と、
前記脚本体に固定された状態で前記天板を支持する天板取付板及びこの天板取付板に連続して設けられ前記フレームを側方から固定する互いに角度を異ならせて取り付け得る複数のフレーム取付面を有するフレーム取付板を具備するブラケットとを有していることを特徴とする天板付家具。
【請求項２】
前記フレーム取付板が、前記天板取付板の縁部から一体的に折り曲げられることにより形成されたものである請求項１記載の天板付家具。
【請求項３】
前記天板取付板の上面を天板を支持する天板支持面とするとともに前記天板取付板の下面を前記脚本体の上端を取りつける脚取付面とし、
前記フレーム取付板が、前記天板取付板の周縁部から垂下している請求項１又は２記載の天板付家具。
【請求項４】
脚本体を前記ブラケットの平面視中央から一端側に亘って取り付けるとともに、前記フレームを前記ブラケットの他端側に取り付けている請求項１、２又は３記載の天板付家具。
【請求項５】
フレーム取付板をねじ穴を有するものとしている請求項１、２、３又は４記載の天板付家具。
【請求項６】
前記ブラケットが前記フレームよりも天板の中心側から固定される請求項１、２、３、４又は５記載の天板付家具。
【発明の詳細な説明】
【技術分野】
【０００１】
本発明は、オフィス等において好適に使用される天板付家具に関するものである。
【背景技術】
【０００２】
従来、オフィスにおけるミーティングスペースや会議室等で好適に用いられている天板付家具の一例として、複数の使用者が同時に使用できる単一の天板に対し、下方から長手方向略全域に亘ってフレームを取り付けるとともにこのフレームを脚体によって支持させてなる天板付家具が種々提案されている(例えば、特許文献１及び特許文献２参照)。このような態様の天板付家具では、脚体が天板を安定して支持するために特に上記特許文献２のようなもののように、脚体を天板から下方へ延出する脚本体とこの脚本体から平面視延出する脚羽根とを有するものとして、各脚羽根を天板の周縁へ向けて放射状をなすように延出させ、延出させた脚羽根の先端をアジャスタやキャスタ等を介して設置させるようにしている。また当該特許文献１に記載の天板付家具では、角パイプ状のフレームの端部を例えば脚体に剛結すべく当該フレームの端部にフレーム端部内に挿入させるための部材を設け、別途フレーム端部に取り付けるという加工を施すことで、脚体とフレームとの強固な剛結を目指している。
【０００３】
しかしながら、上記各特許文献に記載のものは上記フレームの剛結のために当該フレームの端部には格別な加工が要求されるものとなっている。また、フレームは脚体の上端に端部を突き当てた状態で配置されるため、天板の中間部分に脚体を設ける場合には天板の長手方向の寸法に対応するフレームを用いることができず、複数のフレームを上記のように脚体を介して連結しなければならない、そうなると連結するフレームの数及び剛結に必要な部品等の数だけ、部品点数が増加するものとなっていた。
【０００４】
また各特許文献に記載したような天板付家具ではさらに、フレームに対して脚羽根を所望の方向へ延出させるために、脚本体と脚羽根との間に脚羽根の取付角度を変更可能とし得るような格別の複雑な構成を加えたものとなっている。
【０００５】
すなわちこれまでは脚羽根を脚本体から所望の方向へと延出させるためには、そのために構造を複雑にするか或いは部品点数を増加させることが避けられないものとなっているのが現状である。
【先行技術文献】
【特許文献】
【０００６】
【特許文献１】特開２００６−１２２５２６号公報
【特許文献２】特開２００２−１９１４４３号公報
【発明の概要】
【発明が解決しようとする課題】
【０００７】
本発明は、このような不具合に着目したものであり、部品点数を抑え且つ簡素な構成としながらも脚羽根を所望の方向へ延出させ天板を安定して支持することができる天板付家具を提供することを目的としている。
【課題を解決するための手段】
【０００８】
本発明は、このような目的を達成するために、次のような手段を講じたものである。
【０００９】
すなわち本発明に係る天板付家具は天板と、この天板の下面に取りつけられてなるフレームと、これら天板及びフレームを支持する脚体とを有する天板付家具であって、前記脚体が、天板から下方へ延出する脚本体と、この脚本体の下側に取り付けられこの脚本体から平面視何れかの方向に延出する脚羽根と、前記脚本体に固定された状態で前記天板を支持する天板取付板及びこの天板取付板に連続して設けられ前記フレームを側方から固定する互いに角度を異ならせて取り付け得る複数のフレーム取付面を有するフレーム取付板を具備するブラケットとを有していることを特徴とする。
【００１０】
ここで、上記の「複数のフレーム取付面を有するフレーム取付板」とは単一のフレーム取付板が複数のフレーム取付面を有している態様に限られない。例えばフレーム取付板が複数のフレーム取付面を構成すべく互いに分離して設けられた態様をも含まれる。つまり、フレーム取付板が単数か複数かに関わらず、全体として「複数のフレーム取付面」を有するものであれば良い。
【００１１】
このようなものであれば、フレームに対して脚羽根が延出する向きを変更するためには、ブラケットの所望のフレーム取付面を介してフレームに脚体を取りつけるだけで良い。つまり、脚体やフレームの構成になんら格別の構成を加えることなくことが脚羽根の向きの変更が可能となる。その結果、部品点数を抑え且つ簡素な構成としながらも脚羽根を所望の方向へ延出させ天板を安定して支持することができる天板付家具を提供することができる。
【００１２】
ブラケットをより簡素に構成しながら上記の効果を得るためには、前記フレーム取付板を、前記天板取付板の縁部から一体的に折り曲げられることにより形成することが望ましい。
【００１３】
また、ブラケットを用いた脚体の取付箇所をコンパクトに構成するためには、天板取付板の上面を天板を支持する天板支持面とするとともに前記天板取付板の下面を前記脚本体の上端を取りつける脚取付面とし、前記フレーム取付板を、前記天板取付板の周縁部から垂下させるようにすることが好ましい。
【００１４】
また、脚体による天板の安定した支持とフレームへの強固且つ容易な取り付けを両立させるための具体的な構成としては、前記脚本体を前記ブラケットの平面視中央から一端側に亘って取り付けるとともに、前記フレームを前記ブラケットの他端側に取りつける構成を挙げることができる。
【００１５】
またフレームへ脚体を取り付ける際の部品点数を削減し、脚体と天板との取り付け箇所をシンプルにし、容易な取付を実現するためには、フレーム取付板をねじ穴を有するものとすればよい。これにより別途ナット等の部品を用いずとも安定した取り付けが実現される。
【００１６】
また、前記ブラケットが天板付家具の使用中に外部からの衝撃を受けることを回避したり、目立たなく構成して天板付家具の見た目をシンプルなものとするためには、ブラケットが前記フレームよりも天板の中心側から固定される構成を適用すればよい。
【発明の効果】
【００１７】
本発明によれば、部品点数を抑え且つ簡素な構成としながらも脚羽根を所望の方向へ延出させ天板を安定して支持することができる天板付家具を提供することができる。
【図面の簡単な説明】
【００１８】
【図１】本発明の一実施形態に係る斜視図。
【図２】同正面図。
【図３】同平面図。
【図４】同底面図。
【図５】同左側面図。
【図６】同実施形態に係る分解斜視図。
【図７】同実施形態に係る他の分解斜視図。
【図８】同上。
【図９】同実施形態の変形例に係る底面図。
【発明を実施するための形態】
【００１９】
以下、本発明の一実施の形態について図面を参照して説明する。
【００２０】
本実施形態に係る天板付家具１は、図１〜図８に示すように、オフィスにおけるミーティングスペースや会議室等にて好適に使用され得るものであり、脚体２と、脚体２に取り付けられたフレーム３と、このフレーム３及び前記脚体２にそれぞれ支持されてなる天板４とを有するものであり、複数の使用者が天板４の一方の使用端４ａ側及び他方の使用端４ｂ側からそれぞれ並んで同時に執務や会議等を行い得るものである。そして天板４の一方の使用端４ａ及び他方の使用端４ｂの間、すなわち短寸方向略中央には天板４に開口４４が設けられるとともに配線ダクト６を取り付けてなる。
【００２１】
しかして本実施形態に係る天板付家具１は、前記脚体２が、天板４から下方へ延出する脚本体２２と、この脚本体２２の下側に取り付けられこの脚本体２２から平面視何れかの方向に延出する脚羽根２１と、前記脚本体２２に固定された状態で前記天板４を支持する天板取付板５１及びこの天板取付板５１に連続して設けられ前記フレームを側方から固定する互いに角度を異ならせて取り付け得る複数のフレーム取付面５７を有するフレーム取付板５２を具備するブラケット５とを有していることを特徴とする。
【００２２】
以下、天板付家具１の各部の構成について説明する。
【００２３】
脚体２は、図１〜図８に示すように、床面上を平面視天板４の縁へ向かって延出する脚羽根２１と、この脚羽根２１の上端から立設してなる脚本体２２と、脚羽根２１の先端に取りつけられたアジャスタ２３と、脚本体２２の上端に固定されたブラケット５とを有している。
【００２４】
脚本体２２は、特に図５〜図８に示すように、平面視で扁平な形状をなすパイプ状の脚パイプ２２ａと、脚パイプ２２ａの端部に溶接された板ナット２２ｂの両端に対をなして形成された雌ねじ穴２２ｃとを有している。また脚本体２２は下端側においても脚羽根２１を下方からねじ止めさせるための構成を備えている。なお勿論、脚パイプ２２ａの下端側においても上端側と同じ構成をなすようにして脚体２を構成する部品共有率を向上させめても良い。
【００２５】
脚羽根２１は、図１〜図６に示すように、基端側を図示しないボルトによって脚本体２２に固定されるとともに、先端側には下方に面した図示しないナット部が設けられることにより上下昇降可能なアジャスタ２３が取り付けられた通常のものである。本実施形態では、脚体２が有する計４つの脚羽根２１を放射状に延びるようにすることにより、脚羽根２１の先端つまりアジャスタ２３が天板４の縁部近傍にそれぞれ平面視位置付けられ、天板４から平面視はみ出さずに天板４の配置に干渉することを回避しつつ、アジャスタ２３同士を最も離間させて配置することで脚体２が天板４をより安定して支持できるようにしている。なおアジャスタ２３については既存の種々のものを適用し得る。またアジャスタ２３に代えてキャスタを用いることにより天板付家具１自体を容易に移動し得るようにしても良い。
【００２６】
ブラケット５は、図２〜図８に示すように、例えば剛性を有する板金素材を適宜打ち抜き、しかる後曲げ加工等を行うことにより成形されたもので平面視概略正八角形状をなしている。このブラケット５は、上述の通り天板４を取り付けるための天板取付板５１と、フレーム３に取り付けるためのフレーム取付板５２とを有している。前記フレーム取付板５２が、前記天板取付板５１の周縁部から垂下している。
【００２７】
天板取付板５１は、この平面視概略正八角形状をなすもので、上面側を天板４を下側から支持するための天板支持面５３とし、下面側を脚本体２２を取り付けるための脚取付面５４としている。そしてこの天板取付板５１はさらに脚取付ボルト２４を上方から挿入させて脚本体２２に取り付けるためのボルト収容孔５６と、下方から天板取付ボルト４５ａを挿入させて天板４に取り付けるためのボルト挿通孔５５とを有している。ボルト挿通孔５５は天板取付ボルト４５ａの雄ねじ部分のみを挿通させるに足る径を有する。ボルト収容孔５６は天板取付板５１の中央及び一端側の一辺に、すなわち計２箇所形成されている。またボルト収容孔５６はその縁部を傾斜させ概略すり鉢形状に構成することで、脚取付ボルト２４を取り付けた状態で脚取付ボルト２４の上面と天板支持面５３の上面とが略面一となり、脚取付ボルト２４が天板４に干渉することを回避している。ボルト挿通孔５５は前記ボルト収容孔５６が形成されている辺以外の他端側の辺に関わる６つの角に近接した位置に設けられている。すなわち、脚本体２２は前記ブラケット５の平面視中央から一端側に亘って取り付けられる。
【００２８】
フレーム取付板５２は、同図に示すように前記天板取付板５１の縁部から一体的に折り曲げられることにより形成されたものである。このフレーム取付板５２は平面視概略正八角形状をなす天板取付板５１が有する８つの辺のうち、脚本体２２に接しない６つの辺をなす端縁からそれぞれ下方に素材を折り曲げることにより形成された概略矩形状をなすものである。これら６つのフレーム取付板５２は互いに４５°角度位相を異ならせて、換言すれば隣接するフレーム取付板５２同士が１３５°の角度をなしている。すなわち本実施形態ではフレーム３に対してブラケット５を取り付ける相対角度は、４５°単位で設定し得る。そしてこれら６つのフレーム取付板５２は、その表面においてフレーム３側に密着し得るフレーム取付面５７と、このフレーム取付面５７の中央に雌ねじ加工により設けられたフレーム固定孔５８とを有する。
【００２９】
フレーム３は、図２〜図８に示すように、例えばアルミ等の金属の押し出し成形によってなる四角パイプ状をなすものである。このフレーム３は、それぞれ長さ寸法を異ならせることにより、前記天板４の長手方向略全域に亘って２本平行に伸びるメインフレーム３１と、前記天板４の短寸方向に沿って前記メインフレーム３１間に直交する方向に延び介在するサブフレーム３２とを有している。これらメインフレーム３１及び前記サブフレーム３２によって前記フレーム３は天板４の外縁近傍に接する平面視枠状をなして構成される。そして前記ブラケット５は前記フレーム３によって形成された枠内に位置付けられる。すなわち前記ブラケット５は、前記フレーム３よりも天板４の中心側から固定される。そしてこれらメインフレーム３１及びサブフレーム３２には、下方から天板取付ボルトを挿入させ、フレーム３上に位置付けられた天板４側の後述するインサートナット４１ｂに螺合させるための縦挿通孔３３が設けられている。この縦挿通孔３３は、詳細に説明すると、メインフレーム３１及びサブフレーム３２の上面及び下面にそれぞれ設けられた開口と、これら開口間つまり四角パイプ部分の内部に上下に亘って介在し天板取付ボルトの挿入を補助するためのサポート部材からなるものである。かかる構成は通常のものであるため、詳細な説明を省略する。また本実施形態では、このフレーム３におけるサブフレーム３２のそれぞれ箇所において水平方向に貫通した横挿通孔３４が設けられている。この横挿通孔３４は天板４の側端から水平ボルト３５を挿通しブラケット５に対して水平ボルト３５の先端を螺合することにより、かかる位置にブラケット５を取り付け得るようにしている。この横挿通孔３４も前記縦挿通孔３３に同じく、詳細にはサブフレーム３２に設けられた開口及びサポート部材からなる通常の構成をなすため、詳細な説明を省略する。
【００３０】
天板４は、図１〜図５及び図８に示すように、平面視概略長円形状をなすもので、長手方向に位置付けた一方の使用端４ａ側及び他方の使用端４ｂからそれぞれ使用者が向かい合って上面４ｄ上で執務が可能なまでの側端４ｃの寸法すなわち短寸寸法を有するとともに複数の使用者が長手方向に並んだ状態で執務を同時に行うに足る長手寸法を有した平面視略長方形状のもので、前記フレーム３の上方に配されている。本実施形態では便宜上、平面視長円形状をなした天板において長手方向に亘って曲率半径を大きく設定した箇所を一方の使用端４ａ及び他方の使用端４ｂとし、これら両使用端４ａ、４ｂ間に介在する曲率半径を小さく設定した部分を側端４ｃと設定している。この天板４は、例えば、木製の芯材４１と、この芯材４１の上面に添設されたメラミン樹脂板等の化粧板４２と、この化粧板４２及び前記芯材４１の周縁を包囲するエッジ部材４３とを具備してなる。前記芯材４１の下面４１ａ側における前記フレーム３の縦挿通孔３３及びブラケット５のボルト挿通孔５５に対応する部位には、インサートナット４１ｂが埋設されている。
【００３１】
この天板４は、前記ブラケット５及びフレーム３上に配置され、前記縦挿通孔３３及びボルト挿通孔５５を通して前記インサートナット４１ｂに螺着される天板取付ボルト４５ａ、４５ｂに固定されている。そしてこの天板４には、略中央位置において開口４４を形成し、この開口４４に配線ダクト６を取り付けている。
【００３２】
配線ダクト６は、図４に示すように、天板４の開口４４下方に配線類を好適に案内し得るものであり、天板４の上面４ｄに略面一となるよう取り付けられ一方の使用端４ａ側及び他方の使用端４ｂ側の両方から開くことができる蓋体６１と、開口４４の縁部に取り付けられ、適宜変形することにより蓋体６１が綴じられた状態で配線を開口４４を通じて案内し得る軟質部材６２と、前記蓋体６１を開閉可能に支持してなる蓋支持体６３と、これら蓋体６１、軟質部材６２、蓋支持体６３を取り付けるとともに開口４４に直接取りつけられる枠体６０とを具備してなる。またこの配線ダクト６は天板４下に導入された配線を好適に案内し得るダクト本体等を枠体６０にさらに取り付けてなるものであるが、本実施形態ではダクト本体等の図示並びに詳細な説明を所略する。
【００３３】
しかして本実施形態に係る天板付家具１は、複数のフレーム取付板５２のうち、任意の一のフレーム取付板５２を介してブラケット５をフレーム３に取り付けることができる。これにより、本実施形態では脚体２は互いに全く同じ部品から形状をなすように構成しているにも関わらず、それぞれがフレーム３に対してそれぞれ所定の相対角度を持って取り付けられている。これにより部品点数を増加させることなく脚羽根２１が平面視放射状に延びるように脚体２を配置することを実現している。以下、本実施形態に係る天板４及びフレーム３に対する脚体２の取り付けについて、図６〜図８を用いて説明する。
【００３４】
まず、図６の如く脚体２を取り付けるに先立ち図７の通りに、脚本体２２にブラケット５を固定する。図７に示すように脚取付ボルト２４の頭部を断面視逆三角形状に設定し、ボルト収容孔５６を擂り鉢状に設定することにより脚取付ボルト２４はボルト収容孔５６に収容され、脚本体２２を強固に固定しつつも上面側が天板４側に干渉することはない。
【００３５】
そして脚本体２２を固定したブラケット５は図８の如くフレーム３側面に設けられた横挿通孔３４に所定の一のフレーム取付板５２に設けられたフレーム固定孔５８に天板４の中央側から接しさせ、天板４の縁部側から水平ボルト３５を挿入し、ねじ穴であるフレーム固定孔５８に螺合させる。何れの天板取付板５１を用いるかは、同図に示すように天板４の芯材４１下面４１ａに設けられたインサートナット４１ｂの位置により容易に把握し得る。なお芯材４１下面４１ａに設けられたインサートナット４１ｂの位置にボルト挿通孔５５を平面視合致させ天板取付ボルト４５ａをインサートナット４１ｂに螺合させた後、フレーム固定孔５８への水平ボルト３５の固定を行うようにしても良い。
【００３６】
以上のような構成とすることにより、本実施形態に係る天板付家具１は、脚体２やフレーム３の構成になんら格別の構成を加えることなくことが脚羽根２１の向きの変更や設定が可能となる。その結果、部品点数を抑え且つ簡素な構成としながらも脚羽根２１を所望の方向へ延出させ天板４を安定して支持することができる天板付家具１を実現している。
【００３７】
ブラケット５をより簡素にするために本実施形態では、前記フレーム取付板５２を、前記天板取付板５１の縁部から一体的に折り曲げる構成を適用している。
【００３８】
また、ブラケット５を用いた脚体２の取付箇所をコンパクトに構成するために本実施形態では、天板取付板５１の上面を天板４を支持する天板支持面とするとともに前記天板取付板５１の下面を前記脚本体２２の上端を取りつける脚取付面とし、前記フレーム取付板５２を、前記天板取付板５１の周縁部から垂下させるようにしている。特に本実施形態では６枚のフレーム取付板５２が脚本体２２を覆うよう垂下しているので、脚本体２２の取り付け箇所の有効な保護にも寄与する。
【００３９】
また、脚体２による天板４の安定した支持とフレーム３への強固且つ容易な取り付けを両立させるための具体的な構成として本実施形態では、前記脚本体２２を前記ブラケット５の平面視中央から一端側に亘って取り付けるとともに、前記フレーム３を前記ブラケット５の他端側に取りつける構成を適用している。
【００４０】
またフレーム３へ脚体２を取り付ける際の部品点数を削減し、脚体２と天板４との取り付け箇所をシンプルにするために本実施形態では、フレーム取付板５２をねじ穴であるフレーム固定孔５８を設けているこれにより別途ナットを用いた作業を回避し容易且つ安定した取り付けを実現している。
【００４１】
また、前記ブラケット５が天板付家具１の使用中に外部からの衝撃を受けることを回避したり、目立たなく構成して天板付家具１の外見をシンプルなものとするために本実施形態では、ブラケット５を前記平面視枠状をなしたフレーム３よりも内側である天板４の中心側から固定する構成を適用している。
【００４２】
＜変形例＞
以下、本実施形態の変形例について説明するが、当該変形例について、上記実施形態における構成要素に相当するものに対しては同じ符号を付すとともに、その詳細な説明を省略する。
【００４３】
図９に示す本実施形態に係る天板付家具１は、上記実施形態よりも例えば倍の長手寸法を有する長天板４Ｌを用いるとともに、前記メインフレーム３１も前記長天板４Ｌの長手方向の略全域に亘って伸びるものとし、複数の前記ブラケット５が前記メインフレーム３１の両端近傍及び中間部分に取り付けられ、斯かる位置で長天板４Ｌを支持している態様を有する。また同図に示すように、配線ダクト６は長天板４Ｌの長手方向に２つ配置するとともに、中間部分に取り付けられた脚体２はメインフレーム３１に対し９０°の角度をなして取り付けるようにしている。また当該中間部分の脚体２は、他の脚体２とは異なり、延出寸法が短く設定された短寸脚羽根２５を適用している。この短寸脚羽根２５は、前記延出寸法以外の構成は上記実施形態の脚羽根２１と同じであるために具体的な説明を省略する。
【００４４】
このように本変形例においても、ブラケット５におけるフレーム取付板５２を適宜選択することにより、脚羽根２１の延出方向を適宜設定している。これにより上記実施形態に対し殆ど部品の種類を変更することなく異なった態様の天板付家具１を実現している。このように本発明によれば、簡素な構成かつ少ない部品点数を維持しつつ、種々の形状や大きさをなした天板付家具１を構成し得る。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態では平面視多角形状をなしたブラケットを開示した態様を開示したが、勿論、平面視円形をなすとともにフレーム取付面を円周面としたものであってもよい。また脚体や天板の形状といった具体的な態様は上記実施形態のものに限定されることはなく、既存のものを含め、種々の態様のものを適用することができる。
【００４７】
その他、各部の具体的構成についても上記実施形態に限られるものではなく、本発明の趣旨を逸脱しない範囲で種々変形が可能である。
【産業上の利用可能性】
【００４８】
本発明はオフィスのミーティングスペースや会議室等に好適に適用される天板付家具として利用することができる。
【符号の説明】
【００４９】
１…天板付家具
２…脚体
２２…脚本体
３…フレーム
４…天板
５…ブラケット
５１…天板取付板
５２…フレーム取付板
５３…天板支持面
５４…脚取付面
５７…フレーム取付面
５８…フレーム取付穴
【図１】
2014230718.tif 000003
【図２】
2014230718.tif 000004
【図３】
2014230718.tif 000005
【図４】
2014230718.tif 000006
【図５】
2014230718.tif 000007
【図６】
2014230718.tif 000008
【図７】
2014230718.tif 000009
【図８】
2014230718.tif 000010
【図９】
2014230718.tif 000011